(57)【要約】      （修正有）【課題】保育や介護の現場などで対向した相手の口内を十分に綺麗に磨くことができる電動歯ブラシを提供する。【解決手段】回転軸６１ａ，６２ａの先端部に植毛され、各々の毛先が対向するように配置された一対の歯ブラシ４１，４２と、回転軸が連結され一対の歯ブラシを回転させる電動モーターとを備え、一対の歯ブラシ間には、その間隔距離を伸縮させる伸縮部３が設けられている。伸縮部は、ハンドル部２に接続された後端側支持部３２と、後端側支持部よりも小径で後端側支持部に摺動可能に嵌合された先端側支持部３１とから構成されている。また、ブラシ間の距離を縮小させる弾性部材２２ｂを備えている。【選択図】図８
0003213806.tif 000002
【実用新案登録請求の範囲】
【請求項１】
回転軸の先端部に植毛された一対のブラシを、各々の毛先が対向するように配置された歯ブラシ部と、
前記回転軸が連結され前記一対のブラシを回転させる駆動部と
を備えることを特徴とする電動歯ブラシ。
【請求項２】
前記一対のブラシの間隔距離を伸縮させる伸縮部をさらに備えることを特徴とする請求項１に記載の電動歯ブラシ。
【請求項３】
前記一対のブラシの間隔距離を縮小させる弾性部材をさらに備えることを特徴とする請求項１に記載の電動歯ブラシ。
【請求項４】
前記回転軸をそれぞれ支持する一対のアーム部をさらに備え、
前記伸縮部において、前記一対のアーム部を、伸縮方向に垂直な方向に向けて突出させ、前記各アーム部の先端に軸受部を設けるとともに、前記軸受部には軸穴を形成し、これらの軸穴により前記回転軸をそれぞれ軸支して各歯ブラシを回転可能に支承する
ことを特徴とする請求項２に記載の電動歯ブラシ。
【請求項５】
前記駆動部を内蔵するハンドル部と、
前記ハンドル部の先端に接続され、前記一対のブラシの間隔距離を伸縮させる伸縮部と、
前記回転軸をそれぞれ支持するとともに、前記伸縮部の伸縮方向に垂直な方向に向けて突出された一対のアーム部と、
前記駆動部からの駆動力を、前記伸縮部内を経て、前記一対のアーム部に支持された各回転軸にのそれぞれに伝達する伝動手段と
をさらに備えることを特徴とする請求項２に記載の電動歯ブラシ。
【請求項６】
前記伝動手段は、前記一対のブラシの各回転軸に、前記駆動力をそれぞれ伝達する第１及び第２の動力伝達部が設けられ、
前記第１及び第２の動力伝達部は、前記伸縮部の伸縮に追従して、相互の間隔距離が可変となっている
ことを特徴とする請求項５に記載の電動歯ブラシ。
【考案の詳細な説明】
【技術分野】
【０００１】
本考案は、モータでブラシが回転する形式の歯ブラシに関する。
【背景技術】
【０００２】
従来より、電動歯ブラシが知られている。この従来の電動歯ブラシは、往復回転する軸を持つ歯ブラシ本体に、一本のブラシ体を取付け、歯ブラシ本体の軸と同じ往復回転をブラシ体に与え、ブラシ体の先端にブラシ体と直交するように植設した刷毛部を歯ブラシ本体の軸回りに往復回転させて歯磨きするようにしているのが一般的である（例えば特許文献１）。
【先行技術文献】
【特許文献】
【０００３】
【特許文献１】特開平５−１３７６１５号公報
【考案の概要】
【考案が解決しようとする課題】
【０００４】
ところで、子どもの保育や高齢者の介護の現場では、子どもや高齢者の歯を、他者が磨いてあげるという状況も多く、この他者が歯を磨いてあげる状況では、歯を磨いて貰う者（幼児や高齢者）と、歯を磨いてあげる者（保護者や介護者）が対向して作業を行うようになる。
【０００５】
しかしながら、上述した従来の一般的な電動ブラシでは、ブラシ体と直交するように植設された刷毛部が軸周りに往復回転するものであるため、対向した相手の口内を磨く際、歯の裏側などを磨くときには刷毛部を歯の裏に当てるのが難しく、十分に綺麗に磨くことができないという問題がある。
【０００６】
本考案は、このような従来の問題を解決するもので、保育や介護の現場などで対向した相手の口内を十分に綺麗に磨くことができる電動歯ブラシを提供することを目的とする。
【課題を解決するための手段】
【０００７】
上記課題を解決するために、本考案は、回転軸の先端部に植毛された一対のブラシを、各々の毛先が対向するように配置された歯ブラシ部と、回転軸が連結され一対のブラシを回転させる駆動部とを備えることを特徴とする。
【０００８】
上記考案において、一対のブラシの間隔距離を伸縮させる伸縮部をさらに備えることが好ましい。また、上記考案において、一対のブラシの間隔距離を縮小させる弾性部材をさらに備えることが好ましい。さらに、上記考案において、回転軸をそれぞれ支持する一対のアーム部をさらに備え、伸縮部において、一対のアーム部を、伸縮方向に垂直な方向に向けて突出させ、各アーム部の先端に軸受部を設けるとともに、軸受部には軸穴を形成し、これらの軸穴により回転軸をそれぞれ軸支して各歯ブラシを回転可能に支承することが好ましい。
【０００９】
上記考案において、駆動部を内蔵するハンドル部と、ハンドル部の先端に接続され、一対のブラシの間隔距離を伸縮させる伸縮部と、回転軸をそれぞれ支持するとともに、伸縮部の伸縮方向に垂直な方向に向けて突出された一対のアーム部と、駆動部からの駆動力を、伸縮部内を経て、一対のアーム部に支持された各回転軸にのそれぞれに伝達する伝動手段とをさらに備えることが好ましい。また、上記考案において、伝動手段は、一対のブラシの各回転軸に、駆動力をそれぞれ伝達する第１及び第２の動力伝達部が設けられ、第１及び第２の動力伝達部は、伸縮部の伸縮に追従して、相互の間隔距離が可変となっていることが好ましい。
【考案の効果】
【００１０】
本考案に係る電動歯ブラシによれば、各々の毛先が対向するように配置された歯ブラシを、歯を表裏から挟持した状態で回転させることができるため、子どもの保育や高齢者の介護の現場において、子どもや高齢者の歯を、他者が磨いてあげるという状況であっても、歯を磨いて貰う者（幼児や高齢者）と、歯を磨いてあげる者（保護者や介護者）とが、容易に対向して作業を行うことができ、対向した相手の口内を簡単に綺麗に磨くことができる。
【図面の簡単な説明】
【００１１】
【図１】実施形態にかかる電動歯ブラシの外観構成（歯ブラシの間隔を拡げた状態）を示す斜視図である。
【図２】実施形態にかかる電動歯ブラシの外観構成（歯ブラシの間隔を狭めた状態）を示す斜視図である。
【図３】実施形態にかかる電動歯ブラシの外観構成（歯ブラシの間隔を狭めた状態）を示す側面図である。
【図４】実施形態にかかる電動歯ブラシの外観構成（歯ブラシの間隔を拡げた状態）を示す側面図である。
【図５】実施形態の使用状態を示す側面図である。
【図６】実施形態の使用状態を示す斜視図である。
【図７】実施形態における動力伝達経路を示す機構を示す断面図である。
【図８】実施形態における動力伝達経路を示す機構を示す断面図である。
【考案を実施するための形態】
【００１２】
（電動歯ブラシの構成）
本考案の実施の形態を図に示して説明する。図１〜図４は、実施形態にかかる電動歯ブラシ１の外観構成を示す。本実施形態に係る電動歯ブラシ１は、一対の歯ブラシ４１，４２を、各々の毛先が対向するように配置された歯ブラシ部４と、歯ブラシ４１，４２を回転させる駆動部が内蔵されたハンドル部２とから概略構成され、一対の歯ブラシ４１，４２の間にはその間隔距離を伸縮させる伸縮部３が設けられている。
【００１３】
歯ブラシ４１，４２の回転軸はそれぞれ軸受部４１ａ，４２ａによって支持され、軸受部４１ａ，４２ａは一対のアーム部５１，５２に支持されている。この，アーム部５１，５２は、伸縮部３において伸縮方向に垂直な方向に向けて突出されている。各アーム部５１，５２の先端には、軸受部４１ａ，４２ａが設けられ、軸受部４１ａ，４２ａには軸穴が形成され、これらの軸穴に回転軸をそれぞれ挿通して各歯ブラシ４１，４２がそれぞれ支承されている。なお、歯ブラシ４１，４２はナイロン等で形成された多数の毛で構成されたブラシであり、回転することにより歯を磨くようになっている。なお、本考案では歯の表裏を挟み込む構成であるため、歯ブラシ４１，４２は、一般的な歯ブラシの毛よりも短め（例えば、半分くらい）とすることが好ましい。
【００１４】
ハンドル部２には駆動部としての電動モーター２０が内蔵されており、電動モーター２０は、は、ハンドル部２に設けられたスイッチ２３により、回転駆動が入切や、回転速度の調整ができるようになっている。また、ハンドル部２の先端には伸縮部３が接続されており、この伸縮部３は、ハンドル部２に接続された後端側支持部３２と、後端側支持部３２よりも小径で後端側支持部３２に摺動可能に嵌合された先端側支持部３１とから構成されている。これら後端側支持部３２及び先端側支持部３１は内部中空の筒状部材であり、後端側支持部３２と先端側支持部３１とは内部で連通している。さらに、これらの後端側支持部３２及び先端側支持部３１のそれぞれには、アーム部５１，５２が、伸縮部３の伸縮方向に垂直な方向に向けて突出するように接続されている。
【００１５】
また、電動モーター２０からの駆動力を、伸縮部３内を経て、一対のアーム部５１，５２に支持された各回転軸６１ａ、６２ａのそれぞれに伝達する伝動手段が設けられている。この伝動手段は、一対の歯ブラシ４１，４２の各回転軸６１ａ、６２ａに、駆動力をそれぞれ伝達する第１及び第２の動力伝達部が設けられている。
【００１６】
前記第１の動力伝達部は、先端側支持部３１側の歯ブラシ４１を回転させるための機構であり、電動モーター２０に対して接続されたシャフト３４と、シャフト３４の先端に接続されたウォームスクリュー３４ａと、ウォームスクリュー３４ａに噛合するギア６１ｅと、ギア６１ｅが下端に接続されたシャフト６１ｄとを備えている。ウォームスクリュー３４ａ及びギア６１ｅは、シャフト３４の軸周りの回転を、シャフト３４の軸方向に垂直な方向、即ち伸縮部３の伸縮方向に直交する方向に変換する変換手段である。また、シャフト６１ｄの上端には、シャフト３４を介して電動モーター２０から伝達された回転駆動力を、シャフト６１ｄの軸方向に直交する回転軸６１ａの軸周りの回転駆動力に変換する傘歯車６１ｃ，６１ｂが接続されている。回転軸６１ａは、軸受部４１ａの軸穴４１ｂに挿通され、歯ブラシ４１に接続されている。
【００１７】
一方、第２の動力伝達部は、後端側支持部３２側の歯ブラシ４２を回転させるための機構であり、電動モーター２０に対して接続されたシャフト３３と、シャフト３３の先端に接続されたウォームスクリュー３３ａと、ウォームスクリュー３３ａに噛合するギア６２ｅと、ギア６２ｅが下端に接続されたシャフト６２ｄとを備えている。ウォームスクリュー３３ａ及びギア６２ｅは、シャフト３３の軸周りの回転を、シャフト３３の軸方向に垂直な方向、即ち伸縮部３の伸縮方向に直交する方向に変換する変換手段である。また、シャフト６２ｄの上端には、シャフト３３を介して電動モーター２０から伝達された回転駆動力を、シャフト６２ｄの軸方向に直交する回転軸６２ａの軸周りの回転駆動力に変換する傘歯車６２ｃ，６２ｂが接続されている。回転軸６２ａは、軸受部４２ａの軸穴４２ｂに挿通され、歯ブラシ４２に接続されている。なお、軸穴４１ｂ及び軸穴４２ｂは、対向するように開口され、これら軸穴４１ｂ及び４２ｂにより回転軸６１ａ，６２ａをそれぞれ軸支して各歯ブラシ４１，４２を支承することによって、歯ブラシ４１，４２が対向するように配置される。
【００１８】
また、このような構成の第１及び第２の動力伝達部は、伸縮部３の伸縮に追従して、相互の間隔距離が可変となっている。具体的には、伸縮部３の先端側支持部３１が後端側支持部３２に対して、スライド移動可能に挿通されており、第１の動力伝達部は、電動モーター２０との係合状態を維持したまま、先端側支持部３１のスライド移動に追従して前後するようになっている。
【００１９】
さらに、先端側支持部３１の後端側にはストッパー２２ａが固着されている。このストッパー２２ａは、ハンドル部２内において先端側支持部３１のスライド移動に連動して前後に移動するようになっている。このストッパー２２ａと、ハンドル部２の前端側内面部分との間にはバネ２２ｂが介在されている。このバネ２２ｂは、ストッパー２２ａを後方側に付勢する弾性部材であり、このバネ２２ｂによってストッパー２２ａが後方側へ押し下げられることによって、先端側支持部３１も後方に押し下げられて、伸縮部３が縮小し、対向配置された歯ブラシ４１，４２が接近されるようになっている。また、ストッパー２２ａは、その端部が操作ボタン２１として、ハンドル部２の外周面に突出されており、操作者が、この操作ボタン２１を前方に押し出すことにより、バネ２２ｂの反発力に逆らってストッパー２２ａが先端側に押圧されることとなり、先端側支持部３１が前方に押し上げられて、伸縮部３が伸長し、対向配置された歯ブラシ４１，４２が離間されるようになっている。
【００２０】
（電動歯ブラシの動作）
以上の構成を有する電動歯ブラシ１は、以下のように動作する。
先ず、操作者は、操作ボタン２１を前方に押し出すことにより、図１、図４及び図７に示すように、バネ２２ｂの反発力に逆らってストッパー２２ａを先端側に押圧して、伸縮部３が伸長させ、対向配置された歯ブラシ４１，４２を離間させる。この状態において、図６に示すように、対象者の歯Ｔｓ１を表裏から挟める位置に歯ブラシ４１，４２を配置させる。
【００２１】
そして、操作者は、操作ボタン２１を放すことにより、図２、図３及び図８に示すように、バネ２２ｂの付勢力が開放されることによってストッパー２２ａが後方側へ押し下げられ、伸縮部３が縮小され、対向配置された歯ブラシ４１，４２が接近される。これにより、図５に示すように、歯Ｔｓ１を挟持することとなり、この状態で、電動モーター２０のスイッチ２３を入れることによって、歯Ｔｓ１を挟持した状態で歯ブラシ４１，４２が回転され、歯Ｔｓ１が磨かれることとなる。
【００２２】
（作用・効果）
このように本実施形態に係る電動歯ブラシによれば、各々の毛先が対向するように配置された歯ブラシ４１，４２を、歯Ｔｓ１を表裏から挟持した状態で回転させることができるため、子どもの保育や高齢者の介護の現場において、子どもや高齢者の歯を、他者が磨いてあげるという状況であっても、歯を磨いて貰う者（幼児や高齢者）と、歯を磨いてあげる者（保護者や介護者）とが、容易に対向して作業を行うことができ、対向した相手の口内を簡単に綺麗に磨くことができる。
【符号の説明】
【００２３】
Ｔｓ１…歯
１…電動歯ブラシ
２…ハンドル部
３…伸縮部
４…歯ブラシ部
２０…電動モーター
２１…操作ボタン
２２ａ…ストッパー
２２ｂ…バネ
２３…スイッチ
３１…先端側支持部
３２…後端側支持部
３３…シャフト
３３ａ…ウォームスクリュー
３４…シャフト
３４ａ…ウォームスクリュー
４１，４２…歯ブラシ
４１ａ，４２ａ…軸受部
４１ｂ，４２ｂ…軸穴
５１，５２…アーム部
６１ａ，６２ａ…回転軸
６１ｃ，６１ｂ…傘歯車
６１ｄ，６２ｄ…シャフト
６１ｅ，６１ｅ…ギア
６２ａ…回転軸
６２ｃ，６２ｂ…傘歯車
【図１】
0003213806.tif 000003
【図２】
0003213806.tif 000004
【図３】
0003213806.tif 000005
【図４】
0003213806.tif 000006
【図５】
0003213806.tif 000007
【図６】
0003213806.tif 000008
【図７】
0003213806.tif 000009
【図８】
0003213806.tif 000010